(57)【要約】【課題】メガネレンズ用の磁気結合システムを提供することである。【解決手段】本発明は、磁石又は磁気的に引き付ける材料を使用して、メガネレンズ又はレンズシールドをメガネフレームに取り付ける様々な取り付け方法を示している。磁気取り付け方法は、ユーザが屋内及び屋外使用のための取替え可能なレンズを有することが可能となり、作業又は遊びの間の視力を向上させることから有益である。レンズは、色付き、度付き、保護メガネ又は度の入っていないものがある。磁気レンズは、フレームをねじる又は圧力を加える必要もなく直感的な道具要らずの互換性を可能にするので、便利で使い勝手が良い。これらの方法は、ユーザがレンズを取り替えるときに特定の指示又は道具を必要としない。【選択図】図２
2009524081.tif 000002
【特許請求の範囲】
【請求項１】
少なくとも１つのレンズを受け取るために少なくとも１つのレンズリムを有するフレームを有し、
前記レンズリムは内周の周りに内側表面を有し、
前記レンズリムの前記内側表面に固定される少なくとも１つの磁性部材と、
少なくとも１つの磁性部材が固定される前記少なくとも１つのレンズを含む、レンズをメガネフレームに取り外し可能な形で取り付けるメガネアセンブリであって、
前記少なくとも１つのレンズの磁性部材と前記レンズリムの前記磁性部材が互いに引き付け合って整列し、及び前記少なくとも１つのレンズと前記レンズリムが磁気的に結合するように、前記少なくとも１つのレンズが前記リムの前記内側表面上に位置決めされることを特徴とするメガネアセンブリ。
【請求項２】
前記少なくとも１つのレンズの円周表面に埋め込まれ、前記レンズリムのブロウバー部分と一直線になるように配置される第１の磁性部材と、
前記少なくとも１つのレンズの円周表面に埋め込まれ、前記レンズリムの前記ブロウバー部分と一直線になるように配置される第２の磁性部材をさらに含むことを特徴とする請求項１に記載のメガネアセンブリ。
【請求項３】
前記レンズリムの前記内周の周りの前記内側表面に凹所をさらに含むことを特徴とする請求項１に記載のメガネアセンブリ。
【請求項４】
前記少なくとも１つのレンズに固定される前記磁性部材がワイヤであることを特徴とする請求項１に記載のメガネアセンブリ。
【請求項５】
前記磁性部材の表面が前記少なくとも１つのレンズの外周表面と実質上同一平面であるように、前記少なくとも１つのレンズに固定される前記磁性部材が前記少なくとも１つのレンズに埋め込まれることを特徴とする請求項１に記載のメガネアセンブリ。
【請求項６】
前記フレームがブレードスタイルのフレームであり、及び前記少なくとも１つのレンズが少なくとも１つのブレードスタイルレンズであることを特徴とする請求項１に記載のメガネアセンブリ。
【請求項７】
前記第１の磁性部材が前記レンズリムのブロウバー部分に配置され、及び
前記第２の磁性部材が前記レンズリムの鼻当て部分に配置されることを特徴とする請求項２に記載のメガネアセンブリ。
【請求項８】
前記凹所が奥まった溝を含むことを特徴とする請求項３に記載のメガネアセンブリ。
【請求項９】
前記凹所が段のある後壁を含むことを特徴とする請求項３に記載のメガネアセンブリ。
【請求項１０】
前記凹所が段のある前壁を含むことを特徴とする請求項３に記載のメガネアセンブリ。
【請求項１１】
前記レンズリムに固定される前記磁性部材が永久磁石であり、及び前記少なくとも１つのレンズに固定される前記磁性部材が磁性材料であることを特徴とする請求項１に記載のメガネアセンブリ。
【請求項１２】
前記少なくとも１つのレンズに固定される前記磁性部材が永久磁石であり、及び前記レンズリムに固定される前記磁性部材が磁性材料であることを特徴とする請求項１に記載のメガネアセンブリ。
【請求項１３】
前記レンズリムが、前記少なくとも１つのレンズの縁を完全に取り囲むことを特徴とする請求項１に記載のメガネアセンブリ。
【請求項１４】
前記レンズリムが、前記少なくとも１つのレンズの縁を部分的に取り囲むことを特徴とする請求項１に記載のメガネアセンブリ。
【請求項１５】
少なくとも１つのレンズと、
ロッキングピンの形状に形成された磁性部材と、
前記ロッキングピンを受け取るための前記レンズリムのスロットと、
前記スロット内に配置される磁性部材を含むメガネアセンブリであって、
前記少なくとも１つのレンズと前記フレームが結合するために前記ロッキングピンが前記レンズリムの前記スロットに受け取られるように、前記ロッキングピンが前記少なくとも１つのレンズから突出することを特徴とするメガネアセンブリ。
【請求項１６】
第１のリムロック部分と第２のリムロック部分を有するレンズリムを含むフレームと、
前記レンズリムに取り外し可能な形で受け取られる少なくとも１つのレンズを含む、レンズをメガネフレームに取り外し可能な形で取り付けるメガネアセンブリであって、
前記レンズリムの前記第１及び第２のリムロック部分が、前記少なくとも１つのレンズを前記レンズリムに固定するために、前記レンズリムの前記第１及び第２のリムロック部分を一緒に磁気結合する磁性部材を埋め込むことを特徴とするメガネアセンブリ。
【請求項１７】
ブリッジバーと、
前記ブリッジバーに固定される少なくとも１つの磁性部材と、
少なくとも１つのレンズと、
前記ブリッジバーに隣接する前記少なくとも１つのレンズの部分付近の前記少なくとも１つのレンズに固定される少なくとも１つの磁性部材と、
少なくとも１つの末端部分と、
前記末端部分に固定される少なくとも１つの磁性部材と、
前記末端部分に隣接する前記少なくとも１つのレンズの端部付近の前記少なくとも１つのレンズに固定される少なくとも１つの磁性部材を含む、レンズ、ブリッジバー、及びテンプル要素を取り外し可能な形で結合するメガネアセンブリであって、
前記少なくとも１つのレンズが、前記末端部分と前記ブロウバーに磁気結合され、それによりメガネアセンブリが形成されることを特徴とするメガネアセンブリ。
【請求項１８】
少なくとも１つの磁性材料を有する少なくとも１つのレンズをメガネフレームのレンズリムに案内することと、
前記少なくとも１つのレンズの前記磁性部材と前記レンズリムの前記磁性部材が、互いに引き付け合って一直線になり、及び前記少なくとも１つのレンズと前記レンズリムを磁気結合するように、前記少なくとも１つのレンズを前記リムの内側表面に位置付けることを含むことを特徴とする、レンズをメガネフレームに結合する方法。
【請求項１９】
少なくとも１つの磁性部材を有する前記少なくとも１つのレンズを、前記メガネフレーム前記リムの凹所に案内することをさらに含むことを特徴とする請求項１８に記載の方法。
【発明の詳細な説明】
【技術分野】
【０００１】
本発明は、磁気レンズアタッチメントを伴うメガネフレームに関する。さらに具体的には、本発明は、単純で便利なやり方でユーザにより取替え可能であり、簡単に取り外し可能な形でフレームに取り付けられる取替え可能な度付きレンズ又は度の入っていないレンズ及び／又は度の入っていないシールドに関する。
【背景技術】
【０００２】
典型的なメガネはフレームに取り付けられた一対のレンズ又は単一のシールドを含み、そのフレームはレンズ周りのリム、ブロウバー（ｂｒｏｗ  ｂａｒ）、リムの内側端部を結合するブリッジ要素、及びメガネをユーザに載せるためにリムの外側端部に取り付けられる２つのテンプル要素を含む。レンズは通常、レンズ周りのリムを締め付けるねじ又は別の締め付け装置によりメガネフレームに取り付けられる。従来の構成では、レンズを取り外す前にねじを取り外さなければならない。ねじはしばしば小さく、ねじのサイズ及び型を識別するためにユーザの目に負担をかけることが求められる。ねじを取り外すには、ユーザがメガネに特有のねじに合うねじ回し又はその他の道具を有することが必要である。ユーザはしばしば適当なねじ回しを所持していない。もしねじが壊れたりはがれたりしたら、ユーザはその後適切な替えのねじを見つけなければならない。異なるメガネは異なる頭部の型及び大きさを有する異なる種類のねじを使用しているために、このことはユーザにとって非常に不都合である。これらの異なるねじは、しばしば異なるメガネ又は異なるねじ回しでは機能しない。さらに、ねじがメガネ内で壊れた場合、ユーザは壊れたねじを取り除くのが困難である。ユーザはまた、異なる明るさの状況に適応するためにメガネをかけているときにレンズを変更したいと望むこともある。ねじを使用してレンズをフレームに取り付けることが、この処理をユーザにとって非常に不便なものにしている。
【０００３】
最近、度付きレンズは、必要であればブロウバーの設計でレンズを取替え可能にするＶ字型の切込みとともに発展してきている。これには、レンズの切り欠き全体に及ぶブロウバーの強制力が必要である。この技術は、レンズの装着及び取り外しの両方で動作するのに極めて扱いにくい。
【０００４】
【特許文献１】Ｇｉｔｌｉｎ氏等による米国特許第３，５６５，５１７号明細書
【特許文献２】Ｆｅｒｎａｎｄｅｚ氏による米国特許第３，８３８，９１４号明細書
【特許文献３】Ａｌｂａｎｅｓｅ氏による米国特許第５，３２１，４４２号明細書
【特許文献４】Ｃｈｅｏｎｇ氏による米国特許第６，５９２，２２０号明細書
【特許文献５】Ｃｈｅｎ氏による米国特許第６，８６６，３８６号明細書
【特許文献６】日本特許出願公開公報第５９０７２４１７号
【特許文献７】日本特許出願公開公報第６０１４０３１６号
【特許文献８】日本特許出願公開公報第２００４０２１０８６号
【特許文献９】国際特許出願公開公報第ＷＯ９６／３７８００号
【０００５】
従って、取替え可能なメガネレンズをフレームに結合するためには、容易に取り替えられる便利な構造を提供することが必要である。
【発明の開示】
【発明が解決しようとする課題】
【０００６】
本発明の目的は、メガネレンズ用の磁気結合システムを提供することである。さらに具体的には、本発明の目的は、取替え可能な磁気レンズシステムを提供することである。
【課題を解決するための手段】
【０００７】
本発明の更なる目的は、レンズをフレームに取り外せるように結合するために、メガネフレームに取り付けられる磁性材料を提供することである。
【０００８】
本発明の別の目的は、メガネフレームの磁性材料の磁力を引き付けるためにレンズに取り付けられる磁石を提供することである。
【０００９】
本発明のさらに別の目的は、使い勝手が良く取り替え可能なメガネ用の磁気レンズを提供することである。
【００１０】
本発明のさらに別の目的は、磁気レンズを磁性材料を有するフレームに固定するための様々な結合方法を提供することである。
【００１１】
本発明の別の目的は、レンズを変更するためにメガネ技師又はアイケアの専門家に頼るのとは対照的に、ユーザが自身のレンズを容易に変更できるようにすることである。
【００１２】
本発明の更なる別の目的は、異なる処理の色付け又はコーティングを伴う取替え可能な磁気レンズ又はシールドを提供することである。
【００１３】
これらの目的は、基本的には、それぞれのレンズを定位置に固定する磁性部材を使用してメガネフレームの適切な位置に配置される単一のシールドタイプのレンズ又は一対の取替え可能なレンズを提供することにより実現される。レンズは埋め込まれるか、又は別の方法で磁気又は磁性材料を支持する。レンズの磁石又は磁性材料は、対応するメガネフレームの磁石又は磁性材料に引き付けられる。
【００１４】
本発明の全ての実施形態において、レンズとフレームは両方とも永久磁石を用いて取り付けられると理解される。代替案として、レンズ又はフレームがどちらかが、そのどちらか一方に固定される永久磁石を含み、一方で、レンズとフレームのどちらかもう一方が、鉄類といった磁気的に引き付ける材料を固定する、又はそれから作られる。
【００１５】
磁石又は磁性材料は、フレームの環状領域つまり内周及びブロウバー又は鼻当ての中といった、フレーム及びレンズの様々な箇所に位置することができる。レンズは容易に取り外しができ、素早く単純なレンズ交換を提供する。レンズの磁石又は磁性材料は、通常リムレスフレームに適した３ピースの取付フレームを含む多くの方法で取り付けることができる。別の選択肢は、反対側に磁石を有する閉じられた円形の棚状のものを有するフレームに適合するレンズを提供することであり、その際、棚状のものはレンズがフレームから後方に落ちることを防ぐ。
【００１６】
本発明の別の目的、利点及び顕著な特徴は、添付の図面と併用して本発明の好ましい実施形態を開示する以下の詳細な記述から明らかとなる。
【発明を実施するための最良の形態】
【００１７】
本明細書で使用される「レンズ」は、様々な形状及びサイズのメガネレンズ及び１つ又はそれ以上のシールドスタイルのレンズを含むと理解される。本明細書で使用される「フレーム」は、ブレードスタイルフレーム、ゴーグルスタイルフレーム、従来のフレーム及びその他任意のスタイルのメガネフレームを含むと理解される。本明細書で使用される「度の入っていないレンズ」とは、使用者のメガネの度を満たすように作られていないレンズ及びシールドを指す。本明細書で使用される「度付きレンズ」とは、使用者のメガネの度を満たすように作られたレンズ及びシールドを指す。「度の入っていないレンズ」及び「度付きレンズ」は、本明細書を通じて交換可能に用いられる。本明細書で使用される「磁石」、「磁性部材」、「磁化材料」及び「磁性材料」とは、磁石、又は磁気特性を有するあるいは磁石を引き付けることのできる材料を指す。そのようなものとして、「磁石」、「磁性部材」、「磁化材料」、及び「磁性材料」は本明細書で交換可能である。本明細書で使用される「磁性部材」は、磁石である又は磁気的に引き付ける材料から作られるメガネアセンブリの構成材である。本明細書で使用される「メガネアセンブリ」とは、フレームと少なくとも１つのレンズを含む組み立てられたメガネを指す。
【００１８】
図１は、本発明の実施形態を示している。メガネフレーム１は、フレーム１に埋め込まれた少なくとも１つの磁石又は磁気的に引き付ける材料の要素７を含む。図１ａでは、フレーム１の各側面がレンズ５を支持するリム２及び３の一部を含む。それぞれのリム部分２及び３は、レンズ５を受け取る凹所６を含む。凹所６は鼻当て４に向かって延びる。磁石又は磁気的に引き付ける材料７は、フレーム１のリム部分２及び３の凹所６に埋め込まれる。好ましくは、少なくとも１つの磁石又は磁気的に引き付ける材料の要素７は、レンズ５を受け取るフレーム１の凹所６の各側面に配置される。相反する及び引き付ける力を有する磁石又は磁性材料８は、レンズ５がフレーム１に近接して保持されるときに、正及び負に帯磁した磁石の引き付ける力がレンズ５の磁石８をフレームの磁石７の方に引っ張るように、対応するメガネレンズ５の端部に取り付けられる。磁石７は、好ましくはフレーム１の凹所６とそれぞれのレンズ５の対応する縁９に埋め込まれる。この磁石の構成により、図２に示されるように、磁力を通じて定位置に保持される完全に定着したレンズが提供される。
【００１９】
図１ｂは、磁石又は磁性材料８が埋め込まれたレンズを示している。レンズ５は前面１０、裏面１１及び縁９を有する。図１ｃは、裏面１１を下に置き、縁９が読み手と対峙し、前面１０がページの上部方向を指し示すレンズ５を示している。図１ｃのレンズ５は図１ｂのレンズと似ているが、磁石又は磁性材料がレンズ５に埋め込まれていない。図１ｂに示されるレンズでは、レンズ５に固定される磁石又は磁性材料８は、レンズ５の縁９と同一平面上にある。磁石又は磁性材料８はレンズ５の前面１０又は裏面１１と同一平面である。磁石又は磁性材料８が、縁９の平面又は前面１０又は裏面１１と同一平面であること、又はそれらの平面を中断することは必ずしも必要ではない。組み立てられたときに、磁石又は磁性材料が、フレーム及びレンズの磁石又は磁性材料が互いに引き付けあうほど十分に、対応するフレームの磁石又は磁性材料に近接する限り、レンズは磁石又は磁性材料を保護する。
【００２０】
図１ｄは、本発明による別のレンズを示している。磁石又は磁性材料８がレンズ５の縁９を越えて突出している。
【００２１】
図２は、本発明の実施形態による組み立てられたメガネフレームアセンブリの正面図を示している。フレーム１は、そこに埋め込まれた磁石又は磁性材料７を含む。レンズ５もまた、そこに埋め込まれた磁石又は磁性材料８を含む。フレームの磁石又は磁性材料７とレンズの磁石又は磁性材料８の間の引き付ける力により、レンズ５がフレーム１に固定される。
【００２２】
図３ａの断面図は、レンズ５とフレーム１との間の接触箇所を表している。フレーム１は、第１のリム部分２及び第２のリム部分３を含む。第１のリム部分２及び第２のリム部分３は、レンズ５を受け取るための凹所６を有する。凹所６はレンズの縁の外形に適合するように形成される。通常凹所６は、レンズ５の端部を受け取るためにＵ字型である。鼻当て４もまた凹所を有し、磁性材料を含む。磁石又は磁性材料８はレンズ５の外側に固定され、フレーム１の磁石７付近に位置される。その図面は、レンズの前面１０が読み手と対峙しているメガネの前面を示している。レンズ５の縁９の場所も断面図で見ることができる。
【００２３】
図３ｂは図３ａに示されたメガネの断面図を示しているが、第１及び第２の磁石８がレンズ５に埋め込まれている。磁気レンズ５は、フレーム１の通常使用の間に偶発的に外れることのないように、フレーム１にぴったり合わさっている。
【００２４】
本発明の別の実施形態では、磁石又は磁気的に引き付ける材料が、レンズの表面と同一平面になるようにレンズに埋め込まれる。レンズは図１から図３に示されるものと似た凹所に受け取られるが、下方のリム部分がない。
【００２５】
図４は、本発明の別の実施形態を示している。磁石又は磁性材料を含むレンズ５を「ブレード」スタイルのフレーム１２に取り付けることが可能である。「ブレード」スタイルのフレーム１２は、通常レンズ５の下方の弓形表面を取り囲むリムが存在しないように設計された翼型のフレームである。言い換えると、「ブレード」スタイルのフレームは、翼型に縁取られた一対のレンズのように見える。レンズ５の上方及び鼻の部分だけがフレーム１２により結合される。フレーム１２とレンズ５の間の接触箇所は、フレーム１２の水平ブリッジ部分４７に配置される第１の凹所部分と鼻当て４に隣接する側壁に配置される第２の凹所部分を含む。
【００２６】
図５ａは、本発明の実施形態を示している。「ブレード」スタイルフレーム１２は、図４に示されるように、レンズ５をフレーム１２の上方リム部分２の凹所６と鼻当て４に隣接する側壁の凹所６で受け取ることができる。レンズ５は、レンズ５の縁から突出するタブ１３を含む。磁石又は磁性材料がタブ１３を含む又はタブ１３に取り付けられる。
【００２７】
図５ｂは、本発明による図５ａと同一の実施形態を示しており、レンズがフレームに配置されている状態である。フレーム１２は、フレーム１２の上方リム部分２の凹所及び鼻当て４に位置する磁石を有する。レンズ５は、フレームに埋め込まれた磁石又は磁性材料７及びレンズに埋め込まれた磁石又は磁性材料８の引き付け合う磁力に備えているフレーム１２に位置付けられる。レンズ５は、タブが受け取られるフレーム１２の上方リム部分２の凹所に向かって上方に挿入されている。一旦タブ１３が鼻の磁石７により定位置に入れられると、フレーム１２の上方リム部分２の凹所６に埋め込まれた第２の磁石が、タブ１３をわずかな機械的停止を作り出す定位置に引っ張り上げ、レンズが溝６からスライドすることに抵抗する。
【００２８】
図５ｃに示されるように、レンズ５はフレーム１２の上方リム部分２の凹所６に位置され、鼻当て４に向かってスライドする。一旦この位置になると、レンズ５とフレーム１２に位置する相反する磁石の引き付ける力によりレンズ５がフレーム１２に固定される。加えて、レンズ５の磁石は凹所６に閉じ込められ、レンズ５が「ブレード」スタイルフレーム１２から取り外されることに抵抗する。
【００２９】
図５ｄは、本発明の別の実施形態を示している。レンズ５は、レンズ５の一部分に配置され、鼻領域４付近のフレームと最上部にある１つの機械的な「Ｔ」字型アタッチメント１４に取り付ける１つの磁石を含む。
【００３０】
図６ａから図６ｃは、本発明の別の実施形態を示している。フレーム１は、レンズを取り囲むフルリム２１を含む。本実施形態では、図１から図３に示される実施形態のように側面からフレーム１にスライドされるのとは対照的に、レンズ５は正面１５又は背後から挿入されねばならない。本発明の本実施形態では、フレーム１は溝型の凹所を有するのではなく、むしろ図６ｃに示されるように、挿入されたときにレンズ５に対する機械的な停止を提供する段のある内部表面２２を有する。その段は、レンズがフレームの正面を通じてのみ取り外される一段高い後壁である。代替案として、段２３はレンズ５がフレームの背後を通してのみ取り外されるような前壁である。こうした実施形態では、縁９付近に磁石８が埋め込まれたレンズ５は、一段高い前壁又は後壁を伴うフレーム１に挿入され、及びレンズ５の磁石８がフレーム１の磁石７と一直線になるように位置される。それに応じてレンズ５は正面又は背後から挿入され、フレーム１及びレンズ５の両方の磁石の磁力により定位置に保持される。
【００３１】
図７は、本発明の別の実施形態を示している。既に述べた実施形態と同様に、磁石７はメガネのフレーム１に固定できる。磁石又は磁性材料８もまたレンズ５に固定される。フレーム１に固定される磁石又は磁性材料７は、フレーム１の表面と同一平面上にあるように凹所に埋め込まれる。これにより、フレーム１に固定される磁石又は磁性材料７がレンズ５に固定される磁石又は磁性材料を引き付けることが可能となり、一方でレンズ５がフレーム１と同一平面になるよう適合することが可能となる。
【００３２】
代替案として、フレームの凹所は、水平アームの長さにまたがる必要はない。図１ｄに示される磁石のようなレンズの縁から突出する磁石は、フレームの水平アームの１つ又はそれ以上の凹所で受け止められる。こうした実施形態では、レンズの縁から突出する磁石又は磁性材料に対応する磁石又は磁性材料は、レンズ上の突起物に適合するように形成されたフレームの水平アームの凹所の内部に固定できる。その後レンズの突起物は、フレームの水平アームのこれらの凹所の内部に適合する。
【００３３】
図８ａから図８ｆは、フレームの凹所にある磁石の配置を示している。凹所はどんな形状もとることができる。方形を有する凹所２６と三角形を有する凹所１６が示されている。図８ａでは、長方形の磁石７が、磁石が凹所の各側面に固定されるようにフレーム１の方形の凹所２６に位置される。図８ｂでは、長方形の磁石７は方形の凹所２６の頭頂部に位置される。長方形の磁石が使用される必要はない。図８ｃは、三角形の凹所１６を有するフレームに固定される三角形の磁石又は磁性材料１８を示している。図８ｄは三角形の磁石１８及び凹所１６を示し、その際三角形の磁石１８が三角形の凹所１６の全ての表面に固定されているわけではない。
【００３４】
当業者は、様々なタイプのレンズを受け入れるリムのフレームの凹所を構成する多くの方法が存在することを認識されたい。磁石をこれらの異なるリムスタイルに取り付けるさらに多くの実行できる方法が存在する。記載された実施形態は、磁気的な配置とリムの凹所との組み合わせを限定することを意図していない。例えば、当業者は、フレームの水平アームがそこに固定される突出する磁石又は磁性材料を伴う突起物を含み、及びレンズが磁石又は磁性材料を伴う凹所を含むことを認識されたい。
【００３５】
図９ａから図９ｄに示されるように、磁石は度付きレンズ又は度の入っていないレンズに固定できる。図９ａでは、レンズ５と磁石８は同じ厚さであるが、レンズに固定される磁石又は磁気的に引き付ける材料はレンズより薄く又は厚くなりうる。加えて、磁石又は磁気的に引き付ける材料は、図９ｂに示されるように、レンズの縁の浅いくぼみにぴったり合わせられる薄いプレートである。
【００３６】
図９ｃのレンズ５のような切り欠きのある表面を有するレンズ５に磁石８を圧入することも可能である。レンズ５の切り欠きのある表面は、レンズ５をフレームに取り付けるための対応する表面を作るために、レンズ５全体に押圧される磁石で覆われる。必要に応じて、似た形状を有する磁石がこのレンズと似た形状を有するフレームに取り付けることができる。
【００３７】
磁石は、フレーム又は凹所のどんな側面にも位置され、任意の適切な形状でありうる。磁石８は、図９ａのレンズ５といった弓形の表面を有するレンズに取り付けることができる。磁石はまた、図９ｂのレンズ５といった弓形表面から突き出る切り欠き１９を有するレンズにも取り付けることができる。どちらの点でも、磁石は実質的にレンズの弓形部分に取り付けられ、切り欠き部分には取り付けられない。好ましくは、フレームの上方表面に取り付けられる第１の磁石と鼻当てに近いインターリム表面に取り付けられる第２の磁石が存在する。複数の磁石をレンズ又はフレームのどちらかに取り付けることができる。
【００３８】
図１０ａは、本発明の別の実施形態の正面図を示している。レンズ５がフレーム１に固定されている。レンズに固定される磁石又は磁性材料８は、フレームに固定される磁石又は磁性材料７を引き付ける。フレームに固定される磁石又は磁性材料７は、フレーム１の表面及びレンズ５の頭頂部と同一平面であるようにフレーム１の溝の奥まったところに置かれる。
【００３９】
図１０ｂは、本発明の別の実施形態の正面図を示している。レンズ５はフレーム１に固定されている。レンズに固定される磁石又は磁性材料８は、フレームに固定される磁石又は磁性材料７を引き付ける。フレームに固定される磁石又は磁性材料７は、フレーム１の表面及びレンズ５の頭頂部と同一平面であるようにフレーム１の溝の奥まったところに置かれる。レンズ５の切り取られた切り欠き４６は、フレーム１の似た形状をした凹所に受け取られ、レンズ５をフレーム１に固定する手助けをする。
【００４０】
磁気レンズ５を磁性表面を有するフレームに取り付けることで利益を得る別のタイプのフレームは、図１１ａから図１１ｅに示されるようなハーフリムのフレーム２７である。フレーム２７は通常、図１１ａに示されるように、レンズ５の下半分に対応する実質上弓形の表面を伴う金属リム２８である。レンズ５の下方部分とレンズ５の側面の一部のみがフレーム２７で覆われている。レンズ５の残り、つまり上方の実質上弓形の表面にはリムがない。当業者は、本実施形態がフレームにより覆われている下方部分のレンズに限定されないだけでなく、フレームで覆われる上半分のレンズといったレンズの別の一部分を含むことも理解されたい。
【００４１】
ハーフリムフレーム２７のレンズ５を固定するために、磁石７は、図１１ｂ及び図１１ｃに示されるように、レンズ５のかどに向かってリム２８の側表面２９に埋め込まれる。当業者は、磁石をレンズ５の底部表面を取り囲むリム２８の部分に埋め込むことにより、及び対応する磁石８をレンズ５の底部分に固定することにより、レンズ５がハーフリムのフレームに同様に取り付けられうることを認識されたい。磁石又は磁性材料８は、図１１ｂに示されるような対応するフレームの斜面に適合するように、図１１ｃに示されるようなレンズ５の縁９に取り付けられる（正方形の溝、Ｖ字型の溝、又は円形のワイヤ）。これにより、磁気レンズ５とフレーム２７の磁石又は磁性材料７の間の緊密な適合が可能となる。メガネフレーム２７の金属ワイヤ又は成形ワイヤは通常、正方形の溝、実質上Ｖ字型の溝、又は円形のワイヤから構成され、図１１ｂにも示されている。図１１ｅは、分解された図１１ａのレンズとハーフリムフレームの正面図を示している。
【００４２】
本発明のさらに別の実施形態では、図１２ａから図１２ｃ´に示されている別のタイプの磁気アタッチメントは、リムレスマウントとしても参照される３ピースマウントと関連がある。３ピースマウントは、リム又はアイワイヤなしで構成されるフレームを含む。３ピースマウントは、３つの要素、つまりブリッジバー３２、テンプルすなわち末端部３１、及びレンズ５を有する。リムレスマウントは、通常レンズ５の内縁に取り付けるブリッジバー３２、及びレンズ５の外縁に取り付けられるテンプルすなわち末端部と結合される２つのレンズ５を含む。３ピースマウントの磁石は、３つの要素を互いに結びつける。ブリッジバー３２は、レンズ５の内側のかど及び／又は縁と結合し、及びテンプルすなわち末端部３１はレンズ５の外側のかど又は縁と結合する。
【００４３】
図１２ａから図１２ｂに示される３ピースマウントの実施形態のレンズ５に固定される磁石８は、レンズ５の内側及び外側のかどの前面及び裏面にある第１及び第２のくぼみ、まとめて３０とされるが、により画定される各レンズ５の領域に取り付けられる。磁石８は、フレーム要素の磁気表面７を引き付けるために、図１２ａ及び図１２ｂに示されるようにレンズの内層及び外層に向かって、第１及び第２のくぼみの間に直接配置される。
【００４４】
レンズ５をブリッジバー３２に取りつける好ましい方法が図１２ｂに示されており、その際、ブリッジバーに固定される磁石３３は、ブリッジバー３２の縁から最も遠いブリッジバー３２のスロット４８に配置される。好ましくは、ブリッジバーの磁石３３の力がレンズ８の内側のかどの相反する磁石８をブリッジバーの磁石に向かって引っ張るときに、このスロット４８がレンズ５の内側のかどに最も近い。磁石の引き付ける力は磁石が互いに近いときに増大し、３ピースマウントが外れるのを回避する。
【００４５】
３ピースマウントの別の実施形態では、レンズ５はレンズの縁の周りを金属で取り囲まれ、少なくとも１つの磁石はブリッジバー３２だけに配置される。こうした実施形態では、テンプル要素には磁性部材が必要ない。別の実施形態では、ブリッジバー３２は、レンズ５に固定される少なくとも１つの磁石を伴う金属でありうる。
【００４６】
図１２ｃに示されるように、それぞれのテンプルすなわち末端部及びブリッジバー３２は、それぞれのレンズ５の外側のかど又は縁に最も近い第１の端部上に磁石又は磁性材料３３を含む。テンプルすなわち末端部３１又はブリッジバー３２に取り付けられる磁石は、それに対応するレンズ５に埋め込まれる磁石を引き付けるために、レンズ５の外側のかどに向かって突出する。この反応は、ブリッジバーの磁石とレンズ５の内側のかどの磁石との間の反応に似ている。この変形は、レンズ５の裏面の磁石又は突出物を用いて反対方向でも達成できる。
【００４７】
図１２ｂに示されるように、テンプル末端部３１の磁石又は磁性材料３３が、レンズ５に対して最も遠い端部のスロット４８に向かう末端部３１の底部に位置されることが可能である。レンズ５は、磁石８を末端部に向かう凹所の最も外側の縁に取り付けられる。レンズを末端部に挿入すると、磁石８及び３３は自身を一緒に引っ張り、レンズ５を末端部３１に固定する。補完構造はブリッジ及びレンズの場所３２及び３０である。言い換えると、磁石３３は、レンズ５に最も近い第１の端部に向かって、凹所の上方部分又は下方部分のどちらかに位置される。
【００４８】
本発明の別の実施形態は、図１３に示される磁気リムロッククロージャである。この取り付け方法では、磁石３５はブロウバーの反対側面で、末端のかどのフレーム３４のリム３６に固定される。具体的には、磁石は、フレーム３４が通常ロックされる、つまりリムロックされる場所に取り付けられる。これは、テンプル要素３７がリム３６に結合される場所でもある。本発明では、磁石はロッキング特徴としてねじに取って代わる。従来のリムロックでは、本発明のように、フレームの上方部分と下方部分がテンプルのかどで分けられる。従来のリムロックでは、ねじが上方部分と下方部分を結合する。フレームの上方部分と下方部分の接合部では、磁石３５がフレーム３４の端部に印加される。磁気リムロックにより、この接合部でねじがフレーム３４をロックする必要性は取り除かれる、なぜなら、磁力によりフレームの端部が固定されるからである。磁石３５はフレームの両端部に取り付けられるので、円形の又はＶ字型のアイワイヤを含むがそれに限定されない任意の適当な形状のフレームを用いて、この磁気リムロック方法を使用することが可能である。本実施形態では、必ずしもレンズは磁石を埋め込まれる必要はない。リムロックが閉鎖及び磁気ロッキングされると、レンズはフレーム３４のリムの凹所に受け取られ、しっかりと定位置に保持される。当業者は、リムロックはフレームのテンプルすなわち末端部分だけではなく、フレームの鼻のブリッジ部分でもあることを認識されたい。
【００４９】
本発明の磁気取り付け方法の別の実施形態は、図１４ａから図１４ｃに示されるような磁石と非磁性ピン３８の組み合わせである。図１４ａに示されるように、非磁性ピン３８をレンズの上方の実質弓形の表面に取り付けることが可能である。このピン３８は、図１４ｃのフレーム１のようなスロット３９又は溝を有するフレーム１に受け取られる。レンズ５には、フレーム１に埋め込まれた磁石と結合するために、ブロウバーに最も近いその内側表面上に磁石８が提供される。レンズ５もまた、図１４ｃに示されるように、レンズ５を固定するためにフレーム１のスロット３９に移動するスライドピン３８を用いてフレーム１に固定される。ピン３８は、レンズ５がフレーム１に位置されるときに定位置にロックする実質上Ｔ字型のピンでありうる。
【００５０】
上記取り付け方法で記載された磁石又は磁気的に引き付ける材料は、従来技術で既知である任意の適当な磁性材料で形成でき、及び任意の方法で形作られる及び形成される。磁石は通常、重いフレームを持つユーザの負担にならないように軽量である。図１５ａから図１５ｈに示されるように、磁石は、台形（図１５ａ）、長方形（図１５ｂ）、円形（図１５ｃ）、三日月形（図１５ｄ）、方形（図１５ｅ）、Ｖ字型（図１５ｆ）、及び三角形（図１５ｇ）を含むがそれらに限定されない任意の形でありうる。
【００５１】
記載された実施形態の全てにおいて、磁石又は磁気的に引き付ける材料は、任意の別の適切な方法により、レンズ及びフレームに埋め込まれ、レンズ又はフレームに接着され、レンズ及びフレームに押圧され及び拡張適合され、又はレンズ及びフレームに適合される。
【００５２】
さらに、図１５ｈに目を向けると、磁石は相反する磁気表面と結合するために溝、又は凹所により受け取られることができる。接着剤といった限定的な材料に対する表面として磁石を使用することも可能であり、そのため磁石はレンズ又はフレームに固定できる。
【００５３】
図１６ａは、本発明のゴーグルの実施形態を示している。磁石又は磁性材料の要素８が、ゴーグルスタイルフレーム４１に取り付けるのに適したシールドスタイルのレンズ４０に固定される。反対に電荷された磁石又は磁性材料７がゴーグルスタイルのフレーム４１に固定される。ゴーグルスタイルフレーム４１の反対に電荷された磁石又は磁性材料７は、レンズ４０がフレーム４１に取り付けられるときに、シールドスタイルレンズの磁石又は磁性材料８がフレーム４１の磁石７と一直線上になるように配置される。磁石間又は磁石と磁性材料間の引き付ける力によりレンズとフレームが結合される。当業者は、磁石７をフレーム４１の溝又は凹所６に固定することがレンズをフレーム４１に固定することを手助けすることを認識されたい。溝又は凹所６は、図１６ｂに示されるように、レンズをしっかりと受け取るために寸法決めされ、それによりレンズを定位置に保持する。図１６ｂは、フレームに取り付けられたダブルレンズを伴うゴーグルフレームの断面図を示している。
【００５４】
図１６ａが、シールドスタイルレンズ４０の側面に固定される磁石又は磁性材料８を示す一方で、当業者は、レンズに固定される磁石又は磁性材料がフレームに固定される磁石又は磁性材料と場所の点で対応する限り、磁石又は磁性材料がシールドスタイルレンズ４０のどの部分にも固定できることを認識されたい。当業者はまた、シールドスタイルレンズ以外のレンズスタイルが、本発明による磁石の使用を通じてゴーグルスタイルのフレームに固定されることを認識されたい。こうしたレンズスタイルの例が図１６ｃに示されている。当業者はまた、任意のスタイルの１つのレンズが磁石の有無にかからわずフレームに恒久的に取り付けられ、一方で任意のスタイルの第２のレンズが、本発明による磁石を使用して同一フレームに取り外し可能な形で取り付けられることを認識されたい。ゴーグルスタイルフレームに、シールドスタイルレンズと従来形状のレンズを組み合わせることが望ましい。
【００５５】
図１７ａは、本発明の別の実施形態を示している。レンズ５は、レンズ５の縁９上のワイヤ４２に取り囲まれている。レンズとフレームの結合が、少なくとも１つの磁石をフレームに固定し、及び磁石をレンズに固定しないことにより達成することができるように、ワイヤ４２は磁性材料としても使用される。代替実施形態では、ワイヤ４２が、図１７ｂ及び図１７ｄに示されるように、磁性部材８をレンズ５に固定するために磁性部材の頭頂部を越えて包む。図１７ｂは本発明の別の実施形態を示している。ワイヤ４２はレンズ５を取り囲んでいる。磁石又は磁性材料８はレンズ５に埋め込まれている。反対に電荷された磁石又は磁性材料は、レンズが取り付けられることになるフレームに固定される。フレーム内の反対に電荷された磁石は、レンズがフレームに取り付けられたときに、レンズの磁石又は磁性材料８がフレームの磁石と一直線上になるように配置されるべきである。磁石間又は磁石と磁性材料間の引き付ける力によりレンズとフレームが結合される。当業者は、ワイヤ４２も図１７ｃに示されるように、レンズの溝に埋め込まれることを認識されたい。当業者はまた、ワイヤがレンズをフレームに固定する際の磁気的に引き付ける力を手助けするフレームへのはめ込みのためにも使用されることを認識されたい。
【００５６】
様々な実施形態が本発明を図示するために選択される一方で、様々な変形及び修正が、添付の請求項で定義された本発明の範囲から逸脱することなく作られることを当業者には理解されたい。
【図面の簡単な説明】
【００５７】
【図１ａ】どちらも本発明の第１の実施形態による磁石を含むメガネフレームと取り外されたレンズの正面図である。
【図１ｂ】磁石又は磁性材料が埋め込まれたレンズの正面図である。
【図１ｃ】磁石又は磁性材料を有さないレンズの側面図である。
【図１ｄ】磁石又は磁性材料がレンズの縁を越えて突出するようにレンズに固定された前記磁石又は磁性材料を伴うレンズの正面図である。
【図２】レンズがフレームに取り付けられた状態の、図１に示されるようなメガネフレームの正面図である。
【図３】図３ａ−図３ｂは磁気アタッチメントの箇所での図１及び図２に示されるようなメガネフレームの断面図である。
【図４】磁気レンズを伴う「ブレード」スタイルフレームの正面図である。
【図５ａ】レンズの頭頂部領域及び鼻領域から突出し、フレームの水平アームと鼻当て上に磁性材料を含むポケットに受取られる磁石を有する代替実施形態の正面図である。
【図５ｂ】レンズの頭頂部領域及び鼻領域から突出し、フレームの水平アームと鼻当て上に磁性材料を含むポケットに受取られる磁石を有する代替実施形態の正面図である。
【図５ｃ】レンズの頭頂部領域及び鼻領域から突出し、フレームの水平アームと鼻当て上に磁性材料を含むポケットに受取られる磁石を有する代替実施形態の正面図である。
【図５ｄ】本発明の別の実施形態による、レンズから伸び及び対応するフレームのポケットに受取られるＴ字型の磁気アタッチメントの断面図である。
【図６ａ】本発明の別の実施形態によるメガネフレームの斜視図である。
【図６ｂ】本発明の１つの実施形態によるレンズの斜視図である。
【図６ｃ】図６ａに示される実施形態のフレーム及びレンズの断面図である。
【図７】図示された全ての実施形態による、磁石がリムに接着された部分的なメガネフレームの正面図である。
【図８】図８ａ−図８ｄは本発明の異なる実施形態におけるフレームのレンズリムの溝に埋め込まれた磁石の断面図である。
【図９】図９ａ−図９ｄは様々なレンズに固定された磁石又は磁性材料の側面図である。
【図１０】図１０ａ−図１０ｂはブレードスタイルフレームの本発明の実施形態の正面図である。
【図１１ａ】本発明のハーフリムフレームの実施形態の正面図である。
【図１１ｂ】本発明の別の実施形態による、図１１ａに示された部分的なリムの一部の側面図である。
【図１１ｃ】本発明の別の実施形態による、図１１ａに示されたレンズの正面図である。
【図１１ｄ】本発明の実施形態による、図１１ｃに示されたようなレンズの側面図である。
【図１１ｅ】本発明の別の実施形態による、図１１ａに示されたレンズと部分的なリムの正面図である。
【図１２】図１２ａ−図１２ｃ´は本発明の３ピースマウントの実施形態を示している。
【図１３】本発明の磁気リムロッククロージャの実施形態の正面図である。
【図１４】図１４ａ−図１４ｃはスライドピンを伴う本発明の実施形態の正面図及び側面図である。
【図１５】図１５ａ−図１５ｈは様々な取り付け方法で可能である様々な形状の磁石の正面図及び側面図／断面図である。
【図１６ａ】ゴーグルスタイルフレームと２つのシールドスタイルレンズを有する本発明の実施形態の斜視図である。
【図１６ｂ】ゴーグルスタイルフレームと２つのシールドスタイルレンズを有する本発明の実施形態の断面図である。
【図１６ｃ】図１６ａに示される実施形態と組み合わせることができるレンズの正面図である。
【図１７ａ】縁を取り囲むワイヤを伴うレンズの正面図である。
【図１７ｂ】縁を取り囲むワイヤと埋め込まれた磁石又は磁性材料を伴うレンズの正面図である。
【図１７ｃ】レンズの縁の溝に部分的に埋めこまれたワイヤの斜視図である。
【図１７ｄ】図１７ｂのレンズの上面図である。
【符号の説明】
【００５８】
１  メガネフレーム
２  リム
３  リム
４  鼻当て
５  レンズ
６  凹所
７  磁石
８  磁石
９  縁
１０  前面
１１  裏面
１２  「ブレード」スタイルのフレーム
１３  タブ
１４  Ｔ字型アタッチメント
１５  正面
１６  三角形を有する凹所
１８  三角形の磁石又は磁性材料
１９  切り欠き
２１  フルリム
２２  段のある内部表面
２３  段
２６  方形を有する凹所
２７  ハーフリムのフレーム
２８  金属リム
３０  くぼみ
３１  テンプル
３２  ブリッジバー
３３  磁石又は磁性材料
３４  フレーム
３５  磁石
３６  リム
３７  テンプル要素
３８  非磁性ピン
３９  スロット
４０  シールドスタイルレンズ
４１  ゴーグルスタイルフレーム
４２  ワイヤ
４６  切り欠き
４７  水平ブリッジ部分
４８  スロット
【図１ａ】
2009524081.tif 000003
【図１ｂ】
2009524081.tif 000004
【図１ｃ】
2009524081.tif 000005
【図１ｄ】
2009524081.tif 000006
【図２】
2009524081.tif 000007
【図３ａ】
2009524081.tif 000008
【図３ｂ】
2009524081.tif 000009
【図４】
2009524081.tif 000010
【図５ａ】
2009524081.tif 000011
【図５ｂ】
2009524081.tif 000012
【図５ｃ】
2009524081.tif 000013
【図５ｄ】
2009524081.tif 000014
【図６ａ】
2009524081.tif 000015
【図６ｂ】
2009524081.tif 000016
【図６ｃ】
2009524081.tif 000017
【図７】
2009524081.tif 000018
【図８ａ】
2009524081.tif 000019
【図８ｂ】
2009524081.tif 000020
【図８ｃ】
2009524081.tif 000021
【図８ｄ】
2009524081.tif 000022
【図９ａ】
2009524081.tif 000023
【図９ｂ】
2009524081.tif 000024
【図９ｃ】
2009524081.tif 000025
【図９ｄ】
2009524081.tif 000026
【図１０ａ】
2009524081.tif 000027
【図１０ｂ】
2009524081.tif 000028
【図１１ａ】
2009524081.tif 000029
【図１１ｂ】
2009524081.tif 000030
【図１１ｃ】
2009524081.tif 000031
【図１１ｄ】
2009524081.tif 000032
【図１１ｅ】
2009524081.tif 000033
【図１２】
2009524081.tif 000034
【図１３】
2009524081.tif 000035
【図１４ａ】
2009524081.tif 000036
【図１４ｂ】
2009524081.tif 000037
【図１４ｃ】
2009524081.tif 000038
【図１５ａ】
2009524081.tif 000039
【図１５ｂ】
2009524081.tif 000040
【図１５ｃ】
2009524081.tif 000041
【図１５ｄ】
2009524081.tif 000042
【図１５ｅ】
2009524081.tif 000043
【図１５ｆ】
2009524081.tif 000044
【図１５ｇ】
2009524081.tif 000045
【図１５ｈ】
2009524081.tif 000046
【図１６ａ】
2009524081.tif 000047
【図１６ｂ】
2009524081.tif 000048
【図１６ｃ】
2009524081.tif 000049
【図１７ａ】
2009524081.tif 000050
【図１７ｂ】
2009524081.tif 000051
【図１７ｃ】
2009524081.tif 000052
【図１７ｄ】
2009524081.tif 000053
【国際調査報告】
2009524081.tif 000054